(57)【要約】【課題】電話機の中でも人目を引く箇所を光らせることにより、光による報知の目的が十分に達成されるようにする。【解決手段】電話機１は、基台１０と、基台１０に連結された本体部２０とを備える。本体部２０は操作部２２とハンドセット４０を保持するクレイドル部２３とが設けられる。ハンドセット４０には送話部と受話部の間に穴４３が形成されており、クレイドル部２３には穴４３に嵌合してハンドセット４０を保持する隆起部２７が形成されている。隆起部２７は頂部に透光部２９を有し、内部にはＬＥＤ３０により構成される内部照明を備えている。ＬＥＤ３０は回線の接続状態に応じて照明状態が変わる。ハンドセット４０の穴４３は、ハンドセット４０の筐体背面と面一をなす透明パネル４５で塞がれている。【選択図】図６
2007259254.tif 000002
【特許請求の範囲】
【請求項１】
ハンドセットを保持するクレイドル部を本体部に設け、前記クレイドル部には、前記ハンドセットの送話部と受話部の間に形成された穴に嵌合する隆起部を形成し、前記隆起部は少なくともその頂部に透光部を設けるとともに、この隆起部に、回線の接続状態に応じて照明状態が変わる内部照明を配設したことを特徴とする電話機。
【請求項２】
前記ハンドセット筐体背面と面一をなす透明パネルで前記穴を塞いだことを特徴とする請求項１に記載の電話機。
【発明の詳細な説明】
【技術分野】
【０００１】
本発明は固定電話として使用される電話機に関する。
【背景技術】
【０００２】
固定電話として用いられる卓上型や壁掛け型の電話機は、以前は呼び出し音で着信を報知するのみであったが、発光ダイオードの低価格化が進むに従い、光による報知も盛んに行われるようになっている。例えば特許文献１には、コードレス子機を有する親子電話機において、着信があった場合、親機から子機に発信者の電話番号情報を送信し、子機のダイヤルキーを電話番号順に順次点灯して電話番号表示を行わせるようにしたものが記載されている。
【特許文献１】特開平１１−３５５４２０号公報（［００４１］、図１−４）
【発明の開示】
【発明が解決しようとする課題】
【０００３】
光で報知を行うのであれば、できるだけ目立つ形で報知するのが望ましい。本発明はこの点に鑑みなされたもので、電話機の中でも人目を引く箇所を光らせることにより、報知の目的を十分に達成できるようにしたものである。
【課題を解決するための手段】
【０００４】
（１）上記目的を達成するために本発明の電話機は、ハンドセットを保持するクレイドル部を本体部に設け、前記クレイドル部には、前記ハンドセットの送話部と受話部の間に形成された穴に嵌合する隆起部を形成し、前記隆起部は少なくともその頂部に透光部を設けるとともに、この隆起部に、回線の接続状態に応じて照明状態が変わる内部照明を配設したことを特徴としている。
【０００５】
この構成によると、ハンドセットに形成された穴を通じて隆起部の照明状態が認識されるものであり、通常は光を発することのないハンドセットの背面から光が見えるので、人目につきやすく、報知の目的を十分に達成することができる。また発光部の面積を大きくとり、視認性を高めることができる。そしてクレイドル部は、単なる載置や引っ掛けでハンドセットを保持するのでなく、穴と隆起部の嵌合でハンドセットを保持するから、多次元の振動にも耐えてハンドセットの保持を維持できる。
【０００６】
（２）また本発明は、上記構成の電話機において、前記ハンドセット筐体背面と面一をなす透明パネルで前記穴を塞いだことを特徴としている。
【０００７】
この構成によると、ハンドセットを握ったとき、穴のない通常のハンドセットを握ったのと同じ感覚になり、違和感がない。またハンドセットを隆起部にかぶせたとき、透明カバーがストッパの役割を果たしてハンドセットと隆起部の嵌合深さが常に一定となり、外観品質を一定に維持できる。
【発明の効果】
【０００８】
本発明によると、ハンドセットに形成された穴にクレイドル部の隆起部を嵌合させることにより、しっかりとした保持構造を形成するとともに、その隆起部の少なくとも頂面を内部照明で光らせて報知を行うものであるから、人目につきやすく、報知の目的を十分に達成することができる。また発光部の面積を大きくとり、視認性を高めることができる。
【発明を実施するための最良の形態】
【０００９】
以下、本発明の一実施形態を図に基づき説明する。図１は正面側から見た電話機の斜視図、図２は図１からハンドセットを取り除いた状態の斜視図、図３は卓上載置状態の電話機の側面図、図４は壁掛け状態の電話機の側面図、図５は本体部及びハンドセットの正面図、図６は図５のＡ−Ａ部断面図、図７は電話機のブロック構成図、図８は電話機の動作フローチャートである。
【００１０】
電話機１は基台１０と本体部２０を備える。平面形状円形の基台１０は本体部２０を垂直面内で傾動可能に支持する。基台１０と本体部２０は図示しない角度調節装置で連結されている。電話機１は図３のように卓上載置状態で使用することが可能であり、基台１０の底面の図示しない壁掛け穴を利用して、図４のように壁掛け状態で使用することも可能である。また卓上載置状態でも壁掛け状態でも、前記角度調節装置により基台１０に対する本体部２０の角度を調節することができる。
【００１１】
本体部２０の筐体２１の正面は、全体の中で右側３分の２ほどが操作部２２として構成され、左側３分の１ほどがクレイドル部２３として構成される。操作部２２には、テンキーやそれ以外の機能キーなどのキー群２４と、液晶パネルによる表示部２５が配置される。クレイドル部２３には、後述する通話スイッチのアクチュエータとなるスイッチレバー２６と、ハンドセット４０を保持する隆起部２７とが設けられている。ハンドセット４０は図示しないカールコードで本体部２０に接続される。
【００１２】
隆起部２７によるハンドセット４０の保持につき説明する。隆起部２７は、正面から見ると上下方向に長い長円形をなしており、上端には長円形の長軸方向に突き出す突起２８が形成されている。ハンドセット４０の送話部４１と受話部４２（図６参照）の間には、隆起部２７を受け入れる長円形の穴４３が形成される。穴４３の上端には突起２８を受け入れる凹部４４が形成されている。穴４３に隆起部２７を嵌合させ、凹部４４に突起２８を係合させることにより、ハンドセット４０はがたつきの少ない状態でクレイドル部２３に保持される。保持されたハンドセット４０は、それを斜め上にずらすことによってしか隆起部２７から外れない。従ってこの保持構造は、地震のような多次元の振動にも強い。そして角度調節装置により本体部２０の角度がどのように調節されたとしても、隆起部２７と突起２８の組み合わせでハンドセット４０を保持することができる。
【００１３】
穴４３は透明合成樹脂からなる透明パネル４５で塞がれ、素通しではない。透明パネル４５はハンドセット４０の筐体背面（送話口や受話口のない側）の表面と面一をなし、筐体表面の一部を構成する。このように透明パネル４５が存在するので、ハンドセット４０を握ったとき、穴のない通常のハンドセットを握ったのと同じ感覚になり、違和感がない。またハンドセット４０を隆起部２７にかぶせたとき、透明カバー４５がストッパの役割を果たしてハンドセット４０と隆起部２７の嵌合深さが常に一定となり、外観品質を一定に維持できる。
【００１４】
隆起部２６の頂部は透光性の合成樹脂からなる透光部２９で構成される。透光部２９は隆起部２６の内部に配設され、隆起部２７の内部照明を構成するＬＥＤ（light-emitting diode）３０で照明される。ＬＥＤ３０は本体部２０の中に配置された電子回路基板３１の表面に実装されている。ＬＥＤ３０にはリフレクタ３２が組み合わされ、ＬＥＤ３０の放つ光が透光部２９に集中するようになっている。
【００１５】
クレイドル部２２には、隆起部２７より上の箇所にスイッチレバー２６が設けられている。スイッチレバー２６の先端はクレイドル部２３に形成された貫通孔３３から突き出す。ハンドセット４０を隆起部２７に掛けると受話部４２でスイッチレバー２６が押し込まれて通話スイッチがオフ状態となる。これが電話機１のオンフック（回線開放）状態である。ハンドセット４０を隆起部２７から外すとスイッチレバー２６が突出して通話スイッチがオン状態となる。これが電話機１のオフフック（回線閉結）状態である。
【００１６】
電話機１のブロック構成は図７に示す通りである。電話通信部５０は電話回線５１に接続され、後述するベースバンド部からの信号を電話局に送信したり、電話局からの信号を受信したりする。
【００１７】
ベースバンド部５２は音声コーデック（codec）５３を有する。音声コーデック５３は音声の圧縮（符号化）、音声の伸張（復号化）、アナログとディジタルの変換などを行い、また内部の増幅回路（図示せず）により受話音量やマイクロフォンの感度を変更したりする。
【００１８】
ベースバンド部５２には切替回路５４を介してスピーカ５５、マイクロフォン５６、及び拡声スピーカ５７が接続される。スピーカ５５はハンドセット４０の受話部４２に配置され、マイクロフォン５６はハンドセット４０の送話部４１に配置される。拡声スピーカ５７は本体部２０に配置される。拡声スピーカ５７は受話音を拡声して周囲の人に聞かせたるためのものであり、増幅回路６０で増幅されたベースバンド部５２の電気信号を音声に変換する。拡声スピーカ５７は着信報知の鳴動も行う。
【００１９】
スピーカ５５、マイクロフォン５６、及び拡声スピーカ５７はそれぞれ増幅回路５８、５９、６０を介して切替回路５４に接続される。切替回路５４は増幅回路５８、５９、６０とベースバンド部５２との接続を制御回路７０の制御によりオン／オフする。なお増幅回路５８、５９、６０はいずれもゲイン固定であり、受話音量やマイクロフォンの感度を変更することはできない。スピーカ５５と拡声スピーカ５７の音量調整やマイクロフォン５６の感度調整は制御部７０からの指令によりベースバンド部５２の音声コーデック５３が行う。
【００２０】
制御部７０はマイクロプロセッサ（図示せず）を主たる構成要素とし、ＲＯＭ７１に記憶させた動作プログラムに基づき各部を制御する。ＲＯＭ７１は不揮発性メモリであり、動作プログラム以外に電話帳情報や時刻情報なども記憶する。ストップウォッチの情報など、プログラム実行中一時的に保持する必要の生じたデータはＲＡＭ７２に保存される。
【００２１】
制御部７０は表示部駆動回路７３とＬＥＤ点灯回路７４を備える。表示部駆動回路７３は表示部２５の表示を司り、ＬＥＤ点灯回路７４はＬＥＤ３０の点灯を司る。
【００２２】
また制御部７０には操作部２２のテンキー２４Ａと機能キー２４Ｂ、及びクレイドル部２３のスイッチレバー２６により開閉せしめられる通話スイッチ７５が接続され、これらのスイッチからの信号が伝えられる。
【００２３】
続いて図８に基づき電話機１の動作を説明する。待機中、ＬＥＤ３０は消灯状態にある。ステップＳ１１１で外線又は内線の着信を検出するとステップＳ１１２に進み、ＬＥＤ３０が点滅する。また拡声スピーカ５７が鳴動して呼出音を出す。ステップＳ１１３でハンドセット４０をオフフックにするとステップＳ１１４に進み、ＬＥＤ３０が連続点灯状態となる。また電話回線５１が閉結状態となる。この状態で通話を行う。通話終了後、ステップＳ１１５でハンドセット４０をオンフックにすると、ステップＳ１１６に進み、ＬＥＤ３０が消灯する。また電話回線５１が開放する。
【００２４】
外線又は内線で電話をかけるときは、未着信状態でハンドセット４０を取り上げる。これはステップＳ１１１からステップＳ１１７に進み、オフフックにしたことを意味する。ハンドセット４０がオフフックになるとステップＳ１１８に進み、ＬＥＤ３０が連続点灯する。また電話回線５１が閉結する。ステップＳ１１９でダイヤル発信を行うとステップＳ１２０に進み、通話が可能となる。通話終了後、ステップＳ１２１でハンドセット４０をオンフックにするとステップＳ１２２に進み、ＬＥＤ３０が消灯する。また電話回線５１が開放する。
【００２５】
ＬＥＤ３０の照明状態を変えるにあたり、本実施形態では「消灯」「点滅」「連続点灯」の三通りに切り替えることとしたが、これ以外のやり方も可能である。例えばＬＥＤ３０の光度を変えたり、赤・青・緑の三色のＬＥＤを一組とし、各色の組み合わせで任意の色相を得たりしてもよい。また本実施形態では隆起部２７の頂部のみを透光部２９としたが、透光部２９の範囲を隆起部２７の側面にまで広げて発光部の面積を拡大することも可能である。
【産業上の利用可能性】
【００２６】
本発明は固定電話として用いられる電話機に広く利用可能である。
【図面の簡単な説明】
【００２７】
【図１】正面側から見た電話機の斜視図
【図２】図１からハンドセットを取り除いた状態の斜視図
【図３】卓上載置状態の電話機の側面図
【図４】壁掛け状態の電話機の側面図
【図５】本体部及びハンドセットの正面図
【図６】図５のＡ−Ａ部断面図
【図７】電話機のブロック構成図
【図８】電話機の動作フローチャート
【符号の説明】
【００２８】
１    電話機
１０  基台
２０  本体部
２２  操作部
２３  クレイドル部
２７  隆起部
２９  透光部
３０  ＬＥＤ
４０  ハンドセット
４３  穴
４５  透明パネル
【図１】
2007259254.tif 000003
【図２】
2007259254.tif 000004
【図３】
2007259254.tif 000005
【図４】
2007259254.tif 000006
【図５】
2007259254.tif 000007
【図６】
2007259254.tif 000008
【図７】
2007259254.tif 000009
【図８】
2007259254.tif 000010